(57)【特許請求の範囲】
【請求項１】
建築物の基礎で囲まれるとともに土間コンクリートが配置された床下部分に断熱部を配置した断熱床下構造であって、
前記断熱部は、
前記基礎の内側面と前記土間コンクリートの上面との境界部分から第１の間隔をあけて前記基礎の内側面を被覆する基礎側断熱材と、
前記境界部分から第２の間隔をあけて前記土間コンクリートの上面を被覆する土間側断熱材と、
前記境界部分から前記基礎の内側面に沿う前記第１の間隔の範囲内で、かつ、当該境界部分から前記土間コンクリートの上面に沿う前記第２の間隔の範囲内を塞ぐように配置され、防蟻用薬液が浸透可能な繊維性材料からなる薬液流通部材と
を備えており、
前記第１の間隔は、前記土間側断熱材の厚さより大きく、
前記第２の間隔は、前記基礎側断熱材の厚さより大きく、
前記薬液流通部材は、前記土間側断熱材の上面よりも上側に突出するとともに前記基礎側断熱材の床下側を向く面よりも床下側に突出することにより当該床下側に露出する部分と、前記基礎と前記土間コンクリートとの境界部分に沿う部分とを有し、
前記薬液流通部材は、その内部において前記床下側に露出する部分から前記境界部分に沿う部分への前記防蟻用薬液の流通を許容する、
ことを特徴とする防蟻断熱床下構造。
【請求項２】
前記薬液流通部材には、防蟻用薬液が含浸されている、
請求項１に記載の防蟻断熱床下構造。
【請求項３】
前記薬液流通部材は、グラスウールおよびロックウールのうちの少なくとも１種からなる、
請求項１または２に記載の防蟻断熱床下構造。
【請求項４】
前記薬液流通部材における前記床下側に露出する部分には、斜め上方を向く斜面が形成されている、
請求項１から３のいずれかに記載の防蟻断熱床下構造。
【請求項５】
前記薬液流通部材の内部には、前記防蟻用薬液を前記境界部分へ案内する流路が形成されている、
請求項１から４のいずれかに記載の防蟻断熱床下構造。
【請求項６】
前記薬液流通部材を構成する繊維の少なくとも一部は、略水平方向に配列されている、
請求項１から５のいずれかに記載の防蟻断熱床下構造。
【請求項７】
請求項１に記載の防蟻断熱床下構造を用いた防蟻方法であって、
前記境界部分から前記基礎の内側面に沿う前記第１の間隔の範囲内で、かつ、当該境界部分から前記土間コンクリートの上面に沿う前記第２の間隔の範囲内において、前記薬液流通部材を、前記薬液流通部材の一部が床下側に露出するように、前記境界部分に配設する薬液流通部材配設工程と、
前記薬液流通部材に対して、前記防蟻用薬液を当該薬液流通部材の床下側に露出している部分から付与する防蟻用薬液付与工程と
を含むことを特徴とする防蟻方法。
【発明の詳細な説明】
【技術分野】
【０００１】
本発明は、防蟻断熱床下構造およびそれを用いた防蟻方法に関する。
【背景技術】
【０００２】
従来、建築物についての床下構造としては、例えば、特許文献１に記載されているものが存在する。この床下構造は、床下部分を囲むように連続的に延びるように配置された布基礎と、この床下部分の土間部分に、布基礎の内側面に沿って配置された土間コンクリートとを備えている。
【０００３】
このような床下構造では、断熱性能を向上させるために、布基礎の内側面および土間コンクリートの上面のうちの境界部分付近の部分にポリスチレンなどからなる板状の断熱材が配置されている。
【０００４】
しかし、床下部分の内側全体が断熱材によって覆われた構造では、施工後に一定期間経過した後に建築物のメンテナンス作業を行う場合に、布基礎と土間コンクリートの境界部分にシロアリ駆除のための防蟻用薬液をスプレー等で吹き付けることが難しく、そのため、境界部分付近の断熱材をめくり上げて、薬液を境界部分に吹き付ける必要があった。
【０００５】
そこで、薬液を境界部分に吹き付けやすい構造として、特許文献１記載のように、土間コンクリートに沿って横方向に延びる土間側断熱材および布基礎に沿って縦方向に延びる基礎側断熱材のそれぞれ境界部分付近の部分を部分的に取り外すことができるようにした構造が提案されている。この構造では、境界部分付近の断熱材を部分的に取り外して境界部分を露出させることにより、メンテナンス作業時に境界部分に薬液を吹き付けることができるようにしている。
【先行技術文献】
【特許文献】
【０００６】
【特許文献１】特許第４１３３７０４号公報
【発明の概要】
【発明が解決しようとする課題】
【０００７】
しかし、特許文献１記載の構造では、メンテナンス作業の際に、境界部分付近の断熱材を部分的に取り外す必要があるので、ユニットバスなどの床下空間が狭くて作業者が床下空間に入り込むことが困難な箇所では、断熱材を取り外す作業が難しく、メンテナンス作業を行うことが難しいという問題がある。
【０００８】
本発明は、床下空間に入り込みにくい場所でも、境界部分に防蟻用薬液を容易かつ確実に与えることが可能な防蟻断熱床下構造および防蟻方法を提供することを目的とする。
【課題を解決するための手段】
【０００９】
上記課題を解決するためのものとして、本発明の防蟻断熱床下構造は、建築物の基礎で囲まれるとともに土間コンクリートが配置された床下部分に断熱部を配置した断熱床下構造であって、前記断熱部は、前記基礎の内側面と前記土間コンクリートの上面との境界部分から第１の間隔をあけて前記基礎の内側面を被覆する基礎側断熱材と、前記境界部分から第２の間隔をあけて前記土間コンクリートの上面を被覆する土間側断熱材と、前記境界部分から前記基礎の内側面に沿う前記第１の間隔の範囲内で、かつ、当該境界部分から前記土間コンクリートの上面に沿う前記第２の間隔の範囲内を塞ぐように配置され、防蟻用薬液が浸透可能な繊維性材料からなる薬液流通部材とを備えており、前記第１の間隔は、前記土間側断熱材の厚さより大きく、前記第２の間隔は、前記基礎側断熱材の厚さより大きく、前記薬液流通部材は、前記土間側断熱材の上面よりも上側に突出するとともに前記基礎側断熱材の床下側を向く面よりも床下側に突出することにより当該床下側に露出する部分と、前記基礎と前記土間コンクリートとの境界部分に沿う部分とを有し、前記薬液流通部材は、その内部において前記床下側に露出する部分から前記境界部分に沿う部分への前記防蟻用薬液の流通を許容する、ことを特徴とする。
【００１０】
かかる構成によれば、基礎の内側面と土間コンクリートとの境界部分に設置した薬液流通部材は、前記土間側断熱材の上面よりも上側に突出するとともに前記基礎側断熱材の床下側を向く面よりも床下側に突出することにより当該床下側に露出する部分を有している。この部分は、境界部分と基礎側断熱材との第１の間隔および境界部分と土間側断熱材との第２の間隔によって形成された隙間を通して、床下側に露出している。この薬液流通部材における床下側に露出している部分に対して、薬液流通部材から離れた位置からスプレーや長尺のディスペンサなどを用いて防蟻用薬液を容易に付与することが可能である。薬液流通部材における床下側に露出している部分に付与された薬液は、薬液流通部材の内部を浸透して、当該薬液流通部材における境界部分に沿う部分まで流通し、境界部分に到達することが可能である。これにより、床下が狭い場所でも境界部分に容易かつ確実に薬液を付与することが可能になる。
【００１１】
また、前記薬液流通部材には、防蟻用薬液が含浸されているのが好ましい。
【００１２】
かかる構成によれば、薬液流通部材に含浸された防蟻用薬液が当該薬液流通部材の内部を浸透して境界部分に容易かつ確実に付与することが可能である。また、薬液流通部材に含浸された薬液は薬液流通部材の内部を通って徐々に境界部分に到達するので、薬液が乾燥しにくく、薬効を長持ちさせることができる。
【００１３】
また、前記薬液流通部材は、グラスウールおよびロックウールのうちの少なくとも１種からなるのが好ましい。
【００１４】
かかる構成によれば、薬液流通部材として、グラスウールおよびロックウールのうちの少なくとも１種を用いることにより、薬液の浸透性が良く、かつ、断熱性能を保持することが可能である。
【００１５】
また、前記薬液流通部材における前記床下側に露出する部分には、斜め上方を向く斜面が形成されている、のが好ましい。
【００１６】
かかる構成によれば、作業者が境界部分に設置された薬液流通部材に防蟻用薬液を付与する際に、斜め上方を向く斜面に向けて薬液を付与しやすいという利点がある。
【００１７】
さらに、前記薬液流通部材の内部には、前記防蟻用薬液を前記境界部分へ案内する流路が形成されているのが好ましい。
【００１８】
かかる構成によれば、薬液が薬液流通部材の内部に形成された流路を通って境界部分に案内されることによって、薬液を境界部分に円滑に供給できる。
【００１９】
さらに、前記薬液流通部材を構成する繊維の少なくとも一部は、略水平方向へ向くように配列されているのが好ましい。
【００２０】
かかる構成によれば、薬液が薬液流通部材の内部の繊維に沿って水平方向へ円滑に流れて基礎の内側面に達し、さらに基礎の内側面に沿って境界部分に円滑に流れることが可能である。
【００２１】
本発明の防蟻方法は、上記の防蟻断熱床下構造を用いた防蟻方法であって、前記境界部分から前記基礎の内側面に沿う前記第１の間隔の範囲内で、かつ、当該境界部分から前記土間コンクリートの上面に沿う前記第２の間隔の範囲内において、前記薬液流通部材を、前記薬液流通部材の一部が床下側に露出するように、前記境界部分に配設する薬液流通部材配設工程と、前記薬液流通部材に対して、前記防蟻用薬液を当該薬液流通部材の床下側に露出している部分から付与する防蟻用薬液付与工程とを含むことを特徴とする。
【００２２】
かかる特徴によれば、基礎の内側面と土間コンクリートとの境界部分において、境界部分と基礎側断熱材との第１の間隔および境界部分と土間側断熱材との第２の間隔の範囲内に、防蟻用薬液を浸透することが可能な繊維性材料からなる薬液流通部材を床下側に露出するように配設し、この薬液流通部材の露出している部分に対して、薬液流通部材から離れた位置からスプレーや長尺のディスペンサなどを用いて防蟻用薬液を容易に付与することが可能である。薬液流通部材に付与された薬液は薬液流通部材の内部を浸透して境界部分に到達することが可能である。これにより、床下が狭い場所でも境界部分に容易かつ確実に薬液を付与することが可能になる。
【発明の効果】
【００２３】
以上説明したように、本発明の防蟻断熱床下構造および防蟻方法によれば、床下空間に入り込みにくい場所でも、境界部分に防蟻用薬液を容易かつ確実に与えることができる。
【図面の簡単な説明】
【００２４】
【図１】本発明の実施形態に係る防蟻断熱床下構造を有する床下部分の断面図である。
【図２】図１の境界部断熱体に対して離れた場所から防蟻用薬液を付与する工程を示す断面図である。
【図３】図１の境界部断熱体の斜視図である。
【図４】本発明の他の実施形態に係る防蟻断熱床下構造であり、境界部断熱体が斜め上方を向く斜面を有する構造の断面図である。
【図５】本発明のさらに他の実施形態に係る防蟻断熱床下構造であり、境界部断熱体の内部にスリットが形成された構造の断面図である。
【発明を実施するための形態】
【００２５】
図１は本実施形態における構造の概要図を示すものである。本図において、地盤Ｅに基礎１００が設置され、その上に建築物Ｔが設置されている。
【００２６】
基礎１００は、図例では、フーチング１０１と、フーチング１０１の上に配置された立直部１０２とを備えた布基礎であり、前記建築物Ｔの床下部分（本図においては基礎１００の右側部分。図２以降においても同様とする。）を取り囲むようにして地盤Ｅに設置されている。
【００２７】
床下部分に該当する地盤Ｅの表面、すなわち土間１１０の上面には、土間コンクリート１２０が床下部分の略全面を覆うように配置され、この土間コンクリート１２０の端面は、前記フーチング１０１の内側面１０２ａ（基礎の内側面に相当。以下、基礎１００の内側面１０２ａと称す。）に沿った状態で配置されている。
【００２８】
また、本実施形態では、土間コンクリート１２０と地盤Ｅとの間には、ポリエチレンなどの基材に防蟻材が含有された防蟻シート１５０が介在している。防蟻シート１５０の端部１５０ａは、基礎１００と土間コンクリート１２０との隙間１４０に延びている。
【００２９】
なお、本実施形態の説明で以下に記載される「内側」とは、基礎１００を基準にして床下側（図１においては、基礎１００を基準として右方向に向けての方向）を意味する。
【００３０】
さらに、基礎の内側面１０２ａのうち土間コンクリート１２０の上面より上側に位置する部分から、土間コンクリート１２０の上面に至る領域を被覆するように断熱部１３０が配置されている。
【００３１】
この断熱部１３０は、基礎側断熱パネル１３１と、土間側断熱パネル１３２と、境界部断熱体１３５を備えている。
【００３２】
基礎側断熱パネル１３１は、本発明の基礎側断熱材に対応するものであり、基礎１００の内側面１０２ａに固着されている。具体的には、基礎側断熱パネル１３１は、基礎１００の内側面１０２ａと土間コンクリート１２０の上面１２０ａとの境界部分１４１から第１の間隔Ｓ１（図２参照）をあけて基礎１００の内側面１０２ａを被覆する。基礎側断熱パネル１３１は、薬液を浸透しにくく、かつ、断熱性の高い材料、例えば、押出ポリスチレン（ＸＰＳ）が用いられる。
【００３３】
土間側断熱パネル１３２は、本発明の土間側断熱材に対応するものであり、境界部分１４１から第２の間隔Ｓ２（図２参照）をあけて土間コンクリート１２０の上面１２０ａを被覆する。土間側断熱パネル１３２も、基礎側断熱パネル１３１と同様に、薬液を浸透しにくく、かつ、断熱性の高い材料、例えば、押出ポリスチレン（ＸＰＳ）が用いられる。
【００３４】
本実施形態の土間側断熱パネル１３２は、図１に示されるように、複数の部分、例えば、第１部分１３２ａと第２部分１３２ｂとに分割されている。第１部分１３２ａは、土間コンクリート１２０の上面に取り外し自在に設けられている。第２部分１３２ｂは、土間コンクリート１２０の上面に固着されている。このように、土間側断熱パネル１３２の一部が土間コンクリート１２０から取り外しすることが可能であるので、土間コンクリート１２０のひび割れの補修や点検を容易に行うことが可能である。
【００３５】
境界部断熱体１３５は、本発明の薬液流通部材に対応するものであり、図２に示されるように、境界部分１４１から基礎１００の内側面１０２ａに沿う第１の間隔Ｓ１の範囲内で、かつ、当該境界部分１４１から土間コンクリート１２０の上面１２０ａに沿う第２の間隔Ｓ２の範囲内を塞ぐように配置されている。境界部断熱体１３５は、防蟻用薬液が浸透可能な繊維性材料からなり、本実施形態ではグラスウールおよびロックウールのうちの少なくとも１種からなる。
【００３６】
境界部断熱体１３５に用いられるグラスウールの密度は、薬液の浸透性および断熱性能を両方維持できるように１０〜３２ｋｇ／ｍ３であるのが好ましい。密度が３２ｋｇ／ｍ３を超えると薬液の浸透性が大幅に低下し、また、１０ｋｇ／ｍ３未満であれば、断熱性能が低下する（すなわち、熱伝導率が高くなる）ので、グラスウールの密度が上記の範囲内にあれば薬液の浸透性および断熱性能の両方を実用上満足できる程度に維持できるので好ましい。より好ましくは、境界部断熱体１３５に用いられるグラスウールは、基礎１００の断熱に用いるため充分な強度が要求されるので、密度が３２ｋｇ／ｍ３またはそれより若干下回る程度のグラスウールを用いるのが好ましい。
【００３７】
また、境界部断熱体１３５としてロックウールを用いた場合、ロックウールの密度は、薬液の浸透性および断熱性能を両方維持できるように１０〜５０ｋｇ／ｍ３であるのが好ましい。密度が５０ｋｇ／ｍ３を超えると薬液の浸透性が大幅に低下し、また、１０ｋｇ／ｍ３未満であれば、断熱性能が低下する（すなわち、熱伝導率が高くなる）ので、ロックウールの密度が上記の範囲内にあれば薬液の浸透性および断熱性能の両方を実用上満足できる程度に維持できるので好ましい。より好ましくは、境界部断熱体１３５に用いられるロックウールは、基礎１００の断熱に用いるため充分な強度が要求されるので、密度が５０ｋｇ／ｍ３またはそれより若干下回る程度のロックウールを用いるのが好ましい。
【００３８】
本実施形態では、第１の間隔Ｓ１は、土間側断熱パネル１３２の厚さＤ２より大きくなるように設定されている。また、第２の間隔Ｓ２は、基礎側断熱パネル１３１の厚さＤ１より大きくなるように設定されている。したがって、第１の間隔Ｓ１および第２の間隔Ｓ２の範囲内を塞ぐように配置された境界部断熱体１３５は、基礎側断熱パネル１３１の厚さＤ１および土間側断熱パネル１３２の厚さＤ２よりも大きい寸法を有しているので、断熱性能を確保することが可能である。それとともに、防蟻用薬剤の吹き付け箇所として、境界部断熱体１３５の内側角部１３５ａ（図２参照）を確保することが可能である。この内側角部１３５ａの垂直面１３５ｂおよび水平面１３５ｃは、床下側（床下空間Ｕ）に露出している。
【００３９】
図３に示されるように、本実施形態の境界部断熱体１３５は、グラスウールおよびロックウールのうちの少なくとも１種からなる矩形断面の棒状体からなる。境界部断熱体１３５の寸法については、本発明ではとくに限定されるものではないが、例えば、境界部断熱体１３５の幅Ｘは、基礎側断熱パネル１３１の厚さＤ１＋１０ｍｍ程度、高さＨは土間側断熱パネル１３２の厚さＤ２＋２０ｍｍ程度、長さＬは９１０ｍｍまたは１８２０ｍｍ程度に設定される。境界部断熱体１３５を構成する繊維の少なくとも一部、好ましくは全部は、略水平方向へ向くように配列されている。
【００４０】
境界部断熱体１３５には、防蟻用薬液が含浸されている。防蟻用薬液は、後述するように、境界部断熱体１３５から離れた場所から当該境界部断熱体１３５へ防蟻用薬液がスプレーによる吹き付けや散布、または長尺のディスペンサによる注入などによって付与される。
【００４１】
防蟻用薬液は、例えば、防蟻薬剤と樹脂製バインダとが混合したものが用いられる。
【００４２】
防蟻薬剤としては、例えばピレスロイド様薬剤（シラフルオフェン、エトフェンプロックス等）、ピレスロイド系薬剤（ビフェントリン、サイパーメストン、デルタメスリン、パーメスリン、ペルメスリン、アレスリン、トラロメスリン等）、カーバメント系薬剤（プロボクスル、フェノブカルブ、セビン等）、クロルニコチル系薬剤（イミダクロプリド、アセタプリド、クロチアニシン等）、ニトロガニリン系薬剤（ジノテフラン等）、有機リン系殺虫剤（ホキシム、テトラクロクピンホス、フェニトロチオン、プロベタンホス等）、ピラゾール系薬剤（フィブロニル等）、クロルフェノール系薬剤（４−プロモ−２，５−ジクロルフェノール（ＢＤＣＰ）等）、フェニルピロール系（クロルフェナビル等）、ヒバ油、ウコン、カプリン酸、ヤシ油、パーム油等が挙げられる。
【００４３】
樹脂製バインダとしては、合成ゴム乳液に石油樹脂系粘着材、界面活性剤及び防蟻薬剤を混入したラテックスタイプ、合成ゴム乳液に水、増粘剤及び防蟻薬剤を混入した水性エマルジョンタイプ、２液硬化型弾性ポリウレタン接着剤、潤滑油に増ちょう剤及び防蟻薬剤を混入したオイルタイプ、瀝青乳剤に防蟻薬剤を混入したアスファルト系等の液状体のものが用いられる。
【００４４】
また、防蟻用薬液の粘度は、当該薬液の注入および浸透の容易性を考慮すると低いことが好ましく、具体的には、３０ｍＰａ・ｓ以下（好ましくは、１０ｍＰａ・ｓ以下）の粘度であるのが好ましい。
【００４５】
（防蟻断熱床下構造の施工方法）
つぎに、本実施形態の防蟻断熱構造の施工方法について説明する。
【００４６】
まず、境界部断熱体１３５を配設する前の段階として、図１〜２に示されるように、基礎１００の内側面１０２ａと土間コンクリート１２０の上面１２０ａとの境界部分１４１から第１の間隔Ｓ１（図２参照）をあけて、基礎側断熱パネル１３１を基礎１００の内側面１０２ａに貼り付ける。ついで、防蟻用コーキング剤１３６を境界部分１４１に塗布する。
【００４７】
ついで、コーキング剤が硬化してから境界部分１４１から基礎１００の内側面１０２ａに沿う第１の間隔Ｓ１の範囲内で、かつ、当該境界部分１４１から土間コンクリート１２０の上面１２０ａに沿う第２の間隔Ｓ２の範囲内において、境界部断熱体１３５を境界部分１４１に配設する。なお、新規に境界部断熱体１３５を設置する場合には、あらかじめ防蟻用薬液を含浸させた状態で境界部断熱体１３５を設置してもよい。
【００４８】
その後、境界部分１４１から第２の間隔Ｓ２（図２参照）をあけて土間側断熱パネル１３２を土間コンクリート１２０の上面１２０ａに取り付ける。具体的には、図１に示されるように、土間側断熱パネル１３２の第２部分１３２ｂを境界部断熱体１３５から離した位置に土間コンクリート１２０の上面１２０ａに貼り付け、その後、取り外し可能な第１部分１３２ａを第２部分１３２ｂと第２部分１３２ｂとの間に嵌め込む。このとき、第１部分１３２ａが第２部分１３２ｂと第２部分１３２ｂとの間にぴったり嵌め込むように、第１部分１３２ａの長さを微調整しながら嵌め込み作業を行えばよい。
【００４９】
以上のようにして、防蟻処理が施された防蟻断熱床下構造の施工が完了する。
【００５０】
（防蟻方法）
つぎに、上記のように施工された防蟻断熱床下構造が施工後に長期間経過（例えば、５〜１０年程度経過）して、防蟻用コーキング剤１３６または境界部断熱体１３５に含浸された防蟻用薬液の薬効が低下したときに、以下のような防蟻方法によって防蟻用薬液を境界部分１４１へ充填する。
【００５１】
具体的には、まず、上記のように、あらかじめ、境界部断熱体１３５を、境界部断熱体１３５の一部が床下側に露出するように、境界部分１４１に配設しておく（境界部断熱体配設工程）。
【００５２】
その状態で、作業者は、床下空間Ｕにスプレーノズルを挿入し、境界部断熱体１３５に向けて、図２に示されるように防蟻用薬液Ｎを当該境界部断熱体１３５から離間した場所から吹き付けまたは散布する（防蟻用薬液付与工程）。このとき、離れた場所から境界部断熱体１３５に付与された薬液Ｎは境界部断熱体１３５の内部を浸透して境界部分１４１に到達することが可能である。これにより、床下が狭い場所でも境界部分１４１に容易かつ確実に薬液を付与することが可能になる。
【００５３】
また、薬液Nを境界部断熱体１３５に注入する際には、境界部断熱体１３５に隣接する土間側断熱パネル１３２は、薬液Nを境界部断熱体１３５の内部にせき止める働きをする。そのため、薬液Ｎが土間コンクリート１２０の上面１２０ａに沿って境界部分１４１から離れた位置へ流れることを防止することができる。
【００５４】
なお、防蟻用薬液の付与は、スプレーによる吹き付けや散布だけでなく、長尺のディスペンサなどで境界部断熱体１３５に注入してもよい。
【００５５】
（本実施形態の特徴）
（１）
本実施形態の防蟻断熱床下構造では、基礎１００の内側面１０２ａと土間コンクリート１２０との境界部分１４１に設置した境界部断熱体１３５は、防蟻用薬液が浸透可能な繊維性材料からなり、薬液流通部材として機能するものであり、境界部分１４１と基礎側断熱パネル１３１との第１の間隔Ｓ１および境界部分１４１と土間側断熱パネル１３２との第２の間隔Ｓ２によって形成された隙間を通して、床下側に露出している。この境界部断熱体１３５の露出している部分に対して、境界部断熱体１３５から離れた位置からスプレーや長尺のディスペンサなどを用いて防蟻用薬液を容易に付与することが可能である。境界部断熱体１３５に付与された薬液は境界部断熱体１３５の内部を浸透して境界部分１４１に到達することが可能である。これにより、床下が狭い場所でも境界部分１４１に容易かつ確実に薬液を付与することが可能になる。
【００５６】
（２）
本実施形態の防蟻断熱床下構造では、境界部断熱体１３５には防蟻用薬液が含浸されているので、境界部断熱体１３５に含浸された防蟻用薬液が当該境界部断熱体１３５の内部を浸透して境界部分１４１に容易かつ確実に付与することが可能である。また、境界部断熱体１３５に含浸された薬液は境界部断熱体１３５の内部を通って徐々に境界部分１４１に到達するので、薬液が乾燥しにくく、薬効を長持ちさせることができる。
【００５７】
（３）
本実施形態の防蟻断熱床下構造では、境界部断熱体１３５として、グラスウールおよびロックウールのうちの少なくとも１種を用いているので、薬液の浸透性が良く、かつ、断熱性能を保持することが可能である。
【００５８】
（４）
本実施形態の防蟻断熱床下構造では、境界部断熱体１３５を構成する繊維の少なくとも一部（より好ましくは全部）は、略水平方向（すなわち、土間コンクリート１２０の上面１２０ａと平行に延びる方向）へ向くように配列されているので、薬液が境界部断熱体１３５の内部の繊維に沿って水平方向に円滑に流れて基礎１００の内側面１０２ａに達し、さらに基礎１００の内側面１０２ａに沿って境界部分１４１に円滑に流れることが可能である。
【００５９】
（５）
また、本実施形態の防蟻断熱床下構造では、土間側断熱パネル１３２ａを取り外すことが可能であるので、土間コンクリート１２０の点検を容易に行うことができる。さらに、当該土間側断熱パネル１３２ａを取り外して、境界部断熱体１３５を大きく露出させることができるので、薬液を境界部断熱体１３５に含浸・浸透させる効率を向上させることが可能である。
【００６０】
（６）
本実施形態の防蟻方法では、基礎１００の内側面１０２ａと土間コンクリート１２０との境界部分１４１において、境界部分１４１と基礎側断熱パネル１３１との第１の間隔Ｓ１および境界部分１４１と土間側断熱パネル１３２との第２の間隔Ｓ２の範囲内に、防蟻用薬液を浸透することが可能な繊維性材料からなる境界部断熱体１３５を床下側に露出するように配設し、この境界部断熱体１３５の露出している部分に対して、境界部断熱体１３５から離れた位置からスプレーや長尺のディスペンサなどを用いて防蟻用薬液を容易に付与することが可能である。離れた場所から境界部断熱体１３５に付与された薬液は境界部断熱体１３５の内部を浸透して境界部分１４１に到達することが可能である。これにより、床下が狭い場所でも境界部分１４１に容易かつ確実に薬液を付与することが可能になる。
【００６１】
（他の実施形態）
（Ａ）
上記実施形態では、矩形断面の境界部断熱体１３５の内側角部１３５ａが床下側（床下空間Ｕ）に露出している例を挙げて説明したが、境界部断熱体１３５の床下側に露出している部分の形状を他の形状に変えてもよい。例えば、本発明の他の実施形態として、図４に示されるように、境界部断熱体１３５における床下側に露出する部分には、斜め上方を向く斜面１６１が形成されていてもよい。この構成では、作業者が境界部分１４１に設置された境界部断熱体１３５に防蟻用薬液Ｎをスプレーによる吹き付けなどによって付与する際に、斜め上方を向く斜面１６１に向けて薬液Ｎを付与しやすい。また、作業者は、斜面１６１に薬液Ｎが当たっているか否か視認しやすくなる。
【００６２】
（Ｂ）
さらに本発明のさらに他の実施形態として、図５に示されるように、境界部断熱体１３５の内部には、防蟻用薬液Ｎを境界部分１４１へ案内するスリットからなる流路１６２が形成されていてもよい。この構成では、薬液Ｎが境界部断熱体１３５の内部に形成された流路１６２を通って境界部分１４１に案内されることによって、薬液を境界部分１４１に円滑に供給できる。
【００６３】
境界部断熱体１３５の内部に形成される流路１６２は、スリットの他に、細孔からなるトンネルや、複数の空孔が連通することにより形成された非直線的な流路でもよい。
【００６４】
（Ｃ）
上記実施形態では、境界部断熱体１３５としてグラスウールおよびロックウールのうちの少なくとも１種を例に挙げて説明したが、本発明はこれに限定されるものではなく、防蟻用薬液が浸透可能な繊維性材料からなる薬液流通部材であれば種々の繊維性材料および形状を適宜選択することが可能である。
【００６５】
（Ｄ）
上記実施形態では、土間側断熱パネル１３２として、図１に示されるように、第１部分１３２ａと第２部分１３２ｂとに分割されている例が示されているが、本発明はこれに限定されるものではない。例えば、第２部分１３２ｂは無くても良い。
【符号の説明】
【００６６】
１００  基礎
１０２ａ  内側面
１２０  土間コンクリート
１２０ａ  上面
１３０  断熱部
１３１  基礎側断熱パネル（基礎側断熱材）
１３２  土間側断熱パネル（土間側断熱材）
１３５  境界部断熱体（薬液流通部材）
１４１  境界部分
Ｄ１  基礎側断熱パネル１３１の厚さ
Ｄ２  土間側断熱パネル１３２の厚さ
Ｎ  防蟻用薬液
Ｓ１  第１の間隔
Ｓ２  第２の間隔
Ｕ  床下空間
【図１】
0005762844.tif 000002
【図２】
0005762844.tif 000003
【図３】
0005762844.tif 000004
【図４】
0005762844.tif 000005
【図５】
0005762844.tif 000006